(57)【要約】【課題】鏡の付加価値を向上させることができる鏡の固定構造を提供すること。【解決手段】鏡の固定構造２は、反射面が裏面３５の側に設けられた鏡３を裏面３５に対向する被固定面９１に固定する鏡の固定構造２であって、裏面３５と交差する側面３７に設けられた孔または溝を有するとともに、裏面３５の反対側に形成された表面３６と側面３７とが交差する角部に設けられた面取り部３７２を有する鏡３と、表面３６には掛からない状態で孔または溝に係止される係止部４１を有し、両端部のうちの少なくとも一方の端部４２が被固定面９１に固定される固定具４と、を備える。【選択図】図４
2019122500.tif 000002
【特許請求の範囲】
【請求項１】
反射面が裏面の側に設けられた鏡を前記裏面に対向する被固定面に固定する鏡の固定構造であって、
前記裏面と交差する側面に設けられた孔または溝を有するとともに、前記裏面の反対側に形成された表面と前記側面とが交差する角部に設けられた面取り部を有する鏡と、
前記表面には掛からない状態で前記孔または前記溝に係止される係止部を有し、両端部のうちの少なくとも一方の端部が前記被固定面に固定される固定具と、
を備えたことを特徴とする鏡の固定構造。
【請求項２】
前記孔または前記溝が延びた方向に対して交差する切断面において、前記面取り部は、直線状を呈することを特徴とする請求項１に記載の鏡の固定構造。
【請求項３】
前記表面に沿った方向において、前記表面と前記面取り部とが交差する交差点と、前記側面と、の間の距離は、前記孔または前記溝の深さよりも長いことを特徴とする請求項１または２に記載の鏡の固定構造。
【発明の詳細な説明】
【技術分野】
【０００１】
本発明は、被固定面に鏡を固定する鏡の固定構造に関する。
【背景技術】
【０００２】
一般的に、例えば接着剤や両面接着テープなどを用いた接着により、壁面などの被固定面に鏡を固定する鏡の固定構造が存在する。しかし、鏡は、高温多湿な環境下に設置されることがある。また、例えば鏡の清掃時などにおいて、比較的強い力が鏡に加わることがある。そのため、被固定面に対して鏡をより安全あるいは確実に固定するためには、例えばネジなどの締結部材により被固定面に固定される固定具を用いて、鏡を支持し被固定面に固定することが望ましい。
【０００３】
特許文献１には、壁面に鏡を取り付けるための鏡止め具が開示されている。特許文献１に記載された鏡止め具は、壁面に取付け固定される固定部と、上下方向に可動して鏡を保持する爪部と、下方向に爪部を弾性的に保持するように保持力が働くバネ部と、を備え、バネの弾性力を利用して鏡を保持する。
【先行技術文献】
【特許文献】
【０００４】
【特許文献１】特開平９−８４６７４号公報
【発明の概要】
【発明が解決しようとする課題】
【０００５】
しかし、特許文献１に記載された鏡止め具は、爪部の爪掛部が鏡の上部に掛かるように設置される。すなわち、爪部の爪掛部は、鏡の表面の一部を覆う。そのため、鏡の意匠性の向上という点においては、改善の余地がある。また、爪掛部が鏡の表面の一部を覆うため、爪掛部に覆われた鏡の部分には例えば水垢などの汚れが溜まりやすく、清掃者は鏡の表面を拭きにくい。そのため、鏡の清掃性の向上という点においては、改善の余地がある。このように、鏡の固定構造に対しては、鏡の意匠性や清掃性の向上などといった鏡の付加価値の向上が望まれている。
【０００６】
本発明は、前記課題を解決するためになされたものであり、鏡の付加価値を向上させることができる鏡の固定構造を提供することを目的とする。
【課題を解決するための手段】
【０００７】
前記課題は、本発明によれば、反射面が裏面の側に設けられた鏡を前記裏面に対向する被固定面に固定する鏡の固定構造であって、前記裏面と交差する側面に設けられた孔または溝を有するとともに、前記裏面の反対側に形成された表面と前記側面とが交差する角部に設けられた面取り部を有する鏡と、前記表面には掛からない状態で前記孔または前記溝に係止される係止部を有し、両端部のうちの少なくとも一方の端部が前記被固定面に固定される固定具と、を備えたことを特徴とする鏡の固定構造により解決される。
【０００８】
前記構成によれば、固定具の係止部は、鏡の表面には掛からない状態で鏡の側面に設けられた孔または溝に係止されている。また、鏡の表面と鏡の側面とが交差する角部には、面取り部が設けられている。そのため、鏡の側面に孔または溝が設けられ、固定具の係止部が鏡の孔または溝に係止されていても、光が面取り部において屈折したり反射したりすることで、孔または溝、および固定具の係止部は、鏡の表面の側から見えにくい。また、鏡の表面においてすっきりとした外観が得られるため、鏡のデザインの自由度が高まる。そのため、鏡の意匠性を向上させることができる。また、固定具の係止部が鏡の表面には掛からない状態で鏡の孔または溝に係止されているため、例えば水垢などの汚れが鏡の表面に溜まることを抑えることができるとともに、清掃者は鏡の表面を拭きやすくなる。そのため、鏡の清掃性を向上させることができる。これにより、本発明による鏡の固定構造は、鏡の付加価値を向上させることができる。
【０００９】
好ましくは、前記孔または前記溝が延びた方向に対して交差する切断面において、前記面取り部は、直線状を呈することを特徴とする。
【００１０】
前記構成によれば、孔または溝が延びた方向に対して交差する切断面において、面取り部は、直線状を呈する。そのため、プリズムと同様の効果が面取り部において得られる。そのため、孔または溝、および固定具の係止部は、鏡の表面の側からより一層見えにくい。これにより、鏡の意匠性をより一層向上させることができる。
【００１１】
好ましくは、前記表面に沿った方向において、前記表面と前記面取り部とが交差する交差点と、前記側面と、の間の距離は、前記孔または前記溝の深さよりも長いことを特徴とする。
【００１２】
前記構成によれば、鏡の表面に沿った方向において、鏡の表面と面取り部との交差点と、鏡の側面と、の間の距離（面取り深さ）が鏡の側面に設けられた孔または溝の深さよりも長い（深い）ため、孔または溝、および固定具の係止部は、鏡の表面の側からより一層見えにくい。これにより、鏡の意匠性をより一層向上させることができる。
【発明の効果】
【００１３】
本発明によれば、鏡の付加価値を向上させることができる鏡の固定構造を提供することができる。
【図面の簡単な説明】
【００１４】
【図１】本発明の第１実施形態に係る鏡の固定構造を表す斜視図である。
【図２】本実施形態に係る鏡の固定構造を表す正面図である。
【図３】図２に表した矢印Ａ１１の方向からみた鏡の側面図である。
【図４】図２に表した切断面Ａ１−Ａ１における断面図である。
【図５】図４に表した領域Ａ２１を拡大した拡大図である。
【図６】本発明の第２実施形態に係る鏡の固定構造を表す斜視図である。
【図７】本実施形態に係る鏡の固定構造を表す正面図である。
【図８】図７に表した切断面Ａ２−Ａ２における断面図である。
【図９】図８に表した切断面Ａ３−Ａ３における断面図である。
【図１０】図８に表した領域Ａ２２を拡大した拡大図である。
【発明を実施するための形態】
【００１５】
以下に、本発明の好ましい実施形態を、図面を参照して詳しく説明する。
なお、以下に説明する実施形態は、本発明の好適な具体例であるから、技術的に好ましい種々の限定が付されているが、本発明の範囲は、以下の説明において特に本発明を限定する旨の記載がない限り、これらの態様に限られるものではない。また、各図面中、同様の構成要素には同一の符号を付して詳細な説明は適宜省略する。
【００１６】
発明の基本態様
図１〜図５に示される本発明による態様の一つは、固定具４によって鏡３を被固定部材９の被固定面９１に固定する鏡の固定構造２に関する。図６〜図１０に示される本発明による別の態様は、固定具４Ａによって鏡３Ａを被固定部材９の被固定面９１に固定する鏡の固定構造２Ａに関する。
【００１７】
固定具４、４Ａの係止部４１、４１Ａは、鏡３、３Ａの表面３６には掛からない状態で鏡３、３Ａの側面３７に設けられた孔または溝３７１、３７１Ａに係止されている。また、鏡３、３Ａの表面３６と鏡３、３Ａの側面３７とが交差する角部には、面取り部３７２が設けられている。そのため、鏡３、３Ａの側面３７に孔または溝３７１、３７１Ａが設けられ、固定具４、４Ａの係止部４１、４１Ａが鏡３、３Ａの孔または溝３７１、３７１Ａに係止されていても、光が面取り部３７２において屈折したり反射したりすることで、孔または溝３７１、３７１Ａ、および固定具４、４Ａの係止部４１、４１Ａは、鏡３、３Ａの表面３６の側から見えにくい。そのため、鏡３、３Ａの意匠性を向上させることができる。また、固定具４、４Ａの係止部４１、４１Ａが鏡３、３Ａの表面３６には掛からない状態で鏡３、３Ａの孔または溝３７１、３７１Ａに係止されているため、例えば水垢などの汚れが鏡３、３Ａの表面３６に溜まることを抑えることができるとともに、清掃者は鏡３、３Ａの表面３６を拭きやすい。そのため、鏡３、３Ａの清掃性を向上させることができる。このように、本発明による鏡の固定構造２、２Ａは、鏡３、３Ａの付加価値を向上させることができるとの優れた利点を有するものである。
以下、定義の述べた後、本発明による鏡の固定構造のさらに詳細を説明する。
【００１８】
定義
鏡
本発明による鏡の固定構造によって固定される鏡は、反射面が鏡の裏面の側に設けられたいわゆる「裏面鏡」であり、例えば浴室や脱衣室や洗面化粧室などの高温多湿な環境下に設置されることがある。鏡の具体的な構造については、図面を参照しながら後述する。
【００１９】
孔または溝
本発明による鏡の固定構造によって固定される鏡は、鏡の側面に設けられた孔または溝を有する。孔または溝は、好適には、非貫通の孔または溝である。非貫通とは、一方の端部から他方の端部に向かって掘り下げられて孔または溝が形成されるが、他方の端部にまで至らない状態を意味する。
【００２０】
本発明において、鏡が有する非貫通の溝とは、凹条を意味する。なお、非貫通の溝は、非貫通の孔であってもよい。非貫通の孔の形状は、特には限定されず、例えば、円形、楕円、三角形、四角形、多角形様であってよい。このように、本発明において、溝と孔とは、明確に区別される必要はなく、例えば四角形の非貫通の孔が横長に形成されて溝と解されるような形状であってもよい。本願明細書において、固定具の係止部が挿入かつ係止可能である限りにおいて、孔または溝と呼ぶ。また、溝は、溝が設けられた側面と交差する一方の側面から、その一方の側面に対向する他方の側面まで延びていてもよく、溝が設けられた側面と交差する両側面まで延びていなくともよい。例えば、鏡の幅（一方の側面と他方の側面との間の距離）よりも短い複数の溝が、鏡の幅方向において互いに独立して存在していてもよい。
【００２１】
孔または溝が延びた方向に沿ってみたときの孔または溝の形状は、三角形（Ｖ溝形状）、四角形（矩形状）、半円形（Ｕ溝形状）であってもよく、孔または溝の入り口、すなわち孔または溝の開口部の開口面積よりも開口部の奥における開口面積が大とされた、アリ穴、つまり逆ハの字の形状であってもよい。また、孔または溝が延びた方向に沿ってみたときの孔または溝の形状は、開口部より深さ方向に一定の距離の間、開口面積が変化せず、さらに深い位置では開口面積を入り口の開口面積より大とされた形状であってもよい。
【００２２】
被固定部材および被固定面
本発明による鏡の固定構造において、鏡が固定される部材あるいは構造物を「被固定部材」という。被固定部材としては、例えば浴室や脱衣室や洗面化粧室などの壁が挙げられる。ただし、被固定部材は、浴室、脱衣室および洗面化粧室の壁だけには限定されない。また、本発明による鏡の固定構造において、鏡が固定される被固定部材の表面を「被固定面」という。被固定面としては、例えば浴室や脱衣室や洗面化粧室など壁の表面であって、鏡の利用者が存在する側の壁の表面（内壁面）が挙げられる。ただし、被固定面は、浴室、脱衣室および洗面化粧室の内壁面だけには限定されない。
【００２３】
本発明による鏡の固定構造
以下、本発明による鏡の固定構造について、図面を参照しながら説明する。
図１は、本発明の第１実施形態に係る鏡の固定構造を表す斜視図である。
図２は、本実施形態に係る鏡の固定構造を表す正面図である。
図３は、図２に表した矢印Ａ１１の方向からみた鏡の側面図である。
図４は、図２に表した切断面Ａ１−Ａ１における断面図である。
図５は、図４に表した領域Ａ２１を拡大した拡大図である。
【００２４】
本実施形態に係る鏡の固定構造２は、鏡３と、固定具４と、を備える。本実施形態に係る鏡の固定構造２では、２つの固定具４が用いられている。具体的には、鏡３の側面３７の溝３７１に係止された固定具４と、鏡３の側面３８の溝３８１に係止された固定具４と、が用いられている。ただし、固定具４の設置数は、２つには限定されない。
【００２５】
鏡３は、反射面が鏡３の裏面の側に設けられたいわゆる「裏面鏡」である。すなわち、図３に表したように、鏡３は、ガラス３１と、銀（Ａｇ）を含む銀層３２と、銅（Ｃｕ）を含む銅層３３と、バックコート層３４と、を有する。ガラス３１と、銀層３２と、銅層３３と、バックコート層３４と、は、鏡３の表面３６から鏡３の裏面３５に向かってこの順に配置されている。なお、後述するように、バックコート層３４の裏面側には、オーバーコート層がさらに設けられていてもよい。
【００２６】
本願明細書において「鏡の表面」とは、鏡３が被固定部材９の被固定面９１に固定された状態において鏡３の前に存在する利用者に対向する面をいう。言い換えれば、「鏡の表面」とは、鏡３を利用する利用者が鏡３を眺めたり覗いたりする側の面をいう。本願明細書において「鏡の裏面」とは、鏡３の表面３６とは反対側の面であって、鏡３が被固定面９１に固定された状態において被固定面９１に対向する面をいう。
【００２７】
表面３６から裏面３５に向かう方向のガラス３１の寸法（厚さ）Ｌ１は、例えば約５ｍｍ程度である。表面３６から裏面３５に向かう方向の銀層３２の寸法（厚さ）Ｌ２は、例えば約８０ｎｍ程度である。表面３６から裏面３５に向かう方向の銅層３３の寸法（厚さ）Ｌ３は、例えば約４０ｎｍ程度である。表面３６から裏面３５に向かう方向のバックコート層３４の寸法（厚さ）Ｌ４は、例えば約５０μｍ程度である。
【００２８】
図３に表したように、鏡３の反射面３１１は、銀層３２の面のうちで鏡３の表面３６の側に配置された面であり、ガラス３１に接触している。図３に表した矢印Ａ１２および矢印Ａ１３のように、鏡３の表面３６からガラス３１の内部に入射した光の一部は、反射面３１１において反射し、ガラス３１の内部を進行して鏡３の表面３６から放出される。
【００２９】
銅層３３は、銀層３２を保護する機能を有し、銀層３２が例えば塩化物や硫化物などと反応して腐食することを抑える。すなわち、銅層３３は、犠牲防蝕効果を発揮する。また、バックコート層３４は、銅層３３の防蝕効果よりも高い防蝕効果を有する塗料を含み、銀層３２の腐食をより一層抑える。なお、本実施形態の鏡３の構造は、図３に表した例には限定されず、例えば、防蝕効果を有する塗料を含むオーバーコート層がバックコート層３４の裏面の側にさらに積層された構造であってもよい。
【００３０】
図１、図２、図４および図５に表したように、鏡３は、裏面３５および表面３６と交差する側面３７に設けられた溝３７１と、裏面３５および表面３６と交差する側面３８に設けられた溝３８１と、を有する。側面３７、３８は、例えば「木口」や「こば」など呼ばれる部分であり、鏡３の主面（表面３６および裏面３５）の側方に形成された面である。本実施形態の側面３７、３８は、本発明の「裏面と交差する側面」に相当する。本実施形態においては、鏡３が被固定面９１に固定された状態において、側面３７は鏡３の上側の端面（上端面）に相当し、側面３８は鏡３の下側の端面（下端面）に相当する。溝３７１、３８１は、表面３６、裏面３５および側面３７、３８と交差する一方の側面３９１から、側面３９１に対向する他方の側面３９２まで延びている。
【００３１】
固定具４は、金属および樹脂の少なくともいずれかを含む材料により形成された線材であり、溝３７１、３８１に係止された係止部４１を有する。図２に表したように、係止部４１は、固定具４のうちで鏡３の溝３７１、３８１に係止された部分である。
【００３２】
ここで、鏡の表面の一部を覆う止め具により、鏡が被固定面に固定された場合には、鏡の意匠性が損なわれることがある。また、止め具により覆われた鏡の部分には、例えば水垢などの汚れが溜まりやすく、清掃者は鏡の表面を拭きにくい。そのため、鏡の清掃性が損なわれることがある。
【００３３】
これに対して、本実施形態に係る鏡の固定構造２では、図４に表したように、固定具４の係止部４１は、鏡３の表面３６には掛からない状態で溝３７１に係止されている。すなわち、固定具４は、鏡３の表面３６のいずれの部分も覆っていない。そして、固定具４の一方の端部４２は、例えばねじなどの締結部材５により被固定部材９の被固定面９１に固定される。端部４２とは反対側の他方の端部４３は、例えばねじなどの締結部材５により被固定部材９の被固定面９１に固定される。これと同様にして、図４に表したように、鏡３の下端面（側面３８）に配置された固定具４の係止部４１は、鏡３の表面３６には掛からない状態で溝３８１に係止されている。そして、固定具４の両端部（端部４２、４３）は、締結部材５により被固定部材９の被固定面９１に固定される。このように、本実施形態に係る鏡の固定構造２によれば、鏡３は、係止部４１が鏡３の側面３７、３８の溝３７１、３８１に係止された固定具４により、被固定面９１に固定される。
【００３４】
また、図４に表したように、鏡３は、表面３６と側面３７とが交差する角部に設けられた面取り部３７２と、表面３６と側面３８とが交差する角部に設けられた面取り部３８２と、を有する。面取り部３７２、３８２は、平面や曲面を有しており、複数の曲面が並んだ波面を有していてもよい。すなわち、図４および図５に表した切断面（溝３７１、３８１が延びた方向に対して交差する切断面）において、面取り部３７２、３８２は、直線状や曲線状を呈しており、複数の曲線が並んだ波線を呈していてもよい。係止部４１が側面３７（上端面）の溝３７１に係止された形態は、係止部４１が側面３８（下端面）の溝３８１に係止された形態と同様である。また、側面３７の溝３７１に係止された固定具４による鏡３の固定構造は、側面３８の溝３８１に係止された固定具４による鏡３の固定構造と同様である。そこで、本実施形態にかかる鏡の固定構造２についての以下の説明では、側面３７の溝３７１に係止された固定具４による鏡３の固定構造を主として例に挙げる。
【００３５】
図５に表したように、例えば、面取り部３７２の面取り角Ａ３１（表面３６と面取り部３７２との間の角度）は、４５度である。ただし、面取り角Ａ３１は、４５度には限定されない。表面３６に沿った方向において、面取り部３７２と表面３６とが交差する交差点３７４と、側面３７と、の間の距離（面取り深さ）Ｌ６は、溝３７１の深さＬ５よりも長い（深い）。
【００３６】
また、図５に表したように、鏡３は、裏面３５と側面３７とが交差する角部に設けられた面取り部３７３を有していてもよい。面取り部３７３は、平面や曲面を有しており、複数の曲面が並んだ波面を有していてもよい。すなわち、図４および図５に表した切断面（溝３７１、３８１が延びた方向に対して交差する切断面）において、面取り部３７３は、直線状や曲線状を呈しており、複数の曲線が並んだ波線を呈していてもよい。例えば、面取り部３７３の面取り角Ａ３２（裏面３５と面取り部３７３との間の角度）は、４５度である。ただし、面取り角Ａ３２は、４５度には限定されない。
【００３７】
本実施形態に係る鏡の固定構造２によれば、表面３６と側面３７とが交差する角部に面取り部３７２が設けられている。そのため、図５に表した矢印Ａ１４のように光が面取り部３７２において屈折したり、図５に表した矢印Ａ１５のように光が面取り部３７２において反射したりする。そのため、鏡３の側面３７に溝３７１が設けられ、固定具４の係止部４１が鏡３の溝３７１に係止されていても、溝３７１および係止部４１は、鏡３の表面３６の側から見えにくい。また、鏡３の表面３６においてすっきりとした外観が得られるため、鏡３のデザインの自由度が高まる。例えば、鏡３の表面３６に図柄などが付与される場合においても、図柄が制限を受けることを抑えることができる。そのため、鏡３の意匠性を向上させることができる。また、固定具４の係止部４１が鏡３の表面３６には掛からない状態で鏡３の溝３７１に係止されているため、例えば水垢などの汚れが鏡３の表面３６に溜まることを抑えることができるとともに、清掃者は鏡３の表面３６を拭きやすくなる。そのため、鏡３の清掃性を向上させることができる。これにより、本実施形態に係る鏡の固定構造２は、鏡３の付加価値を向上させることができる。
【００３８】
また、図５に表した例では、溝３７１が延びた方向に対して交差する切断面（図４および図５参照）において、面取り部３７２は、直線状を呈する。すなわち、面取り部３７２は、平面を有する。そのため、プリズムと同様の効果が面取り部３７２において得られる。面取り部３７２の一例は、鏡３の表面３６に対する傾斜角度（面取り角）が４５度の傾斜面（いわゆるＣ面）を有する。そのため、溝３７１および係止部４１は、鏡３の表面３６の側からより一層見えにくい。これにより、鏡３の意匠性をより一層向上させることができる。また、面取り部３７２が波面を有する場合には、面取り部３７２において乱反射の効果が得られる。この場合においても、溝３７１および係止部４１は、鏡３の表面３６の側からより一層見えにくい。これにより、鏡３の意匠性をより一層向上させることができる。
【００３９】
また、表面３６に沿った方向において、面取り部３７２の面取り深さＬ６が溝３７１の深さＬ５よりも深いため、溝３７１および係止部４１は、鏡３の表面３６の側からより一層見えにくい。これにより、鏡３の意匠性をより一層向上させることができる。Ｌ６＞Ｌ５の例においては、鏡３の表面３６における傾斜角度（面取り角）Ａ３１を４５度以上として、面取り部３７２と側面３７とが交差する交差点３７８から、溝３７１の手前側（鏡３の表面３６の側）の内壁面と側面３７とが交差する交差点３７９までの距離（厚さ）をＬ１１としたときに、Ｌ１１＞Ｌ５となるようにすると、溝３７１および係止部４１が鏡３の表面３６の側からより一層見えにくくなるので、より好ましい。
【００４０】
次に、本発明の第２実施形態について説明する。
なお、第２実施形態に係る鏡の固定構造２Ａの構成要素が、図１〜図５に関して前述した第１実施形態に係る鏡の固定構造２の構成要素と同様である場合には、重複する説明は適宜省略し、以下、相違点を中心に説明する。
【００４１】
図６は、本発明の第２実施形態に係る鏡の固定構造を表す斜視図である。
図７は、本実施形態に係る鏡の固定構造を表す正面図である。
図８は、図７に表した切断面Ａ２−Ａ２における断面図である。
図９は、図８に表した切断面Ａ３−Ａ３における断面図である。
図１０は、図８に表した領域Ａ２２を拡大した拡大図である。
【００４２】
本実施形態に係る鏡の固定構造２Ａは、鏡３Ａと、固定具４Ａと、を備える。図６および図７に表した鏡の固定構造２Ａでは、４つの固定具４Ａが用いられている。具体的には、溝３７１Ａの第２溝部３７７の両端部に引っ掛けられ係止された２つの固定具４Ａと、溝３８１Ａの第２溝部３８７の両端部に引っ掛けられ係止された２つの固定具４Ａと、が用いられている。ただし、固定具４Ａの設置数は、４つには限定されない。
【００４３】
鏡３Ａは、裏面３５および表面３６と交差する側面３７に設けられた溝３７１Ａと、裏面３５および表面３６と交差する側面３８に設けられた溝３８１Ａと、を有する。図６および図７に表したように、溝３７１Ａは、第１溝部３７６と、第２溝部３７７と、を有する。第１溝部３７６は、鏡３Ａの一方の側面３９１に接続して設けられた部分と、鏡３Ａの他方の側面３９２に接続して設けられた部分と、を有する。鏡３Ａの一方の側面３９１に接続して設けられた部分は、鏡３Ａの他方の側面３９２に接続して設けられた部分とは離れて設けられている。また、鏡３Ａの一方の側面３９１に接続して設けられた部分の溝の深さは、鏡３Ａの他方の側面３９２に接続して設けられた部分の溝の深さと略同じである。第２溝部３７７は、側面３７に沿った方向において、鏡３Ａの略中央部に設けられている。第２溝部３７７の両端部は、段差部を介して第１溝部３７６に接続されている。すなわち、表面３６あるいは裏面３５に沿った方向において、第１溝部３７６の深さは、第２溝部３７７の深さよりも浅い。
【００４４】
溝３８１Ａは、溝３７１Ａと同様の構造を有する。すなわち、図６および図７に表したように、溝３８１Ａは、第１溝部３８６と、第２溝部３８７と、を有する。第１溝部３８６は、鏡３Ａの一方の側面３９１に接続して設けられた部分と、鏡３Ａの他方の側面３９２に接続して設けられた部分と、を有する。鏡３Ａの一方の側面３９１に接続して設けられた部分は、鏡３Ａの他方の側面３９２に接続して設けられた部分とは離れて設けられている。また、鏡３Ａの一方の側面３９１に接続して設けられた部分の溝の深さは、鏡３Ａの他方の側面３９２に接続して設けられた部分の溝の深さと略同じである。第２溝部３８７は、側面３７に沿った方向において、鏡３Ａの略中央部に設けられている。第２溝部３８７の両端部は、段差部を介して第１溝部３８６に接続されている。すなわち、表面３６あるいは裏面３５に沿った方向において、第１溝部３８６の深さは、第２溝部３８７の深さよりも浅い。
【００４５】
なお、溝３７１Ａの構造は、図６および図７に表した例には限定されない。例えば、側面３７に沿った方向において、複数の第２溝部３７７が互いに離れて設けられていてもよい。すなわち、第１溝部と第２溝部とを有する複数の溝が、側面３７に沿った方向において独立して（例えば互いに左右に離れて）設けられていてもよい。これは、溝３８１Ａについても同様である。
【００４６】
固定具４Ａは、長尺部４４と、係止片４５と、を有する。長尺部４４は、金属および樹脂の少なくともいずれかを含む材料により形成された線材である。係止片４５は、長尺部４４の一方の端部に接続され、例えば金属により形成された金具である。図９に表したように、側面３７の溝３７１Ａに配置された係止片４５は、第１溝部３７６と第２溝部３７７との間の段差部に係止されている。また、側面３８の溝３８１Ａに配置された係止片４５は、第１溝部３８６と第２溝部３８７との間の段差部に係止されている。長尺部４４の他方の端部４２は、例えばねじなどの締結部材５により被固定部材９の被固定面９１に固定される。固定具４Ａは、溝３７１Ａ、３８１Ａに係止された係止部４１Ａを有する。図７および図９に表したように、係止部４１Ａは、固定具４Ａのうちで鏡３Ａの溝３７１Ａ、３８１Ａに係止された部分であり、係止片４５と、長尺部４４の一部と、を含む。
【００４７】
図８に表したように、固定具４Ａの係止部４１Ａは、鏡３Ａの表面３６には掛からない状態で溝３７１Ａに係止されている。すなわち、固定具４Ａは、鏡３Ａの表面３６のいずれの部分も覆っていない。これと同様にして、図８に表したように、鏡３Ａの下端面（側面３８）に配置された固定具４Ａの係止部４１Ａは、鏡３Ａの表面３６には掛からない状態で溝３８１Ａに係止されている。そして、固定具４Ａの他方の端部４２は、締結部材５により被固定部材９の被固定面９１に固定される。このように、本実施形態に係る鏡の固定構造２Ａによれば、鏡３Ａは、係止部４１Ａが鏡３Ａの側面３７、３８の溝３７１Ａ、３８１Ａに係止された固定具４Ａにより、被固定面９１に固定される。
【００４８】
本実施形態に係る鏡の固定構造２Ａでは、図８に表したように、鏡３Ａは、表面３６と側面３７とが交差する角部に設けられた面取り部３７２と、表面３６と側面３８とが交差する角部に設けられた面取り部３８２と、を有する。面取り部３７２、３８２は、平面や曲面を有しており、複数の曲面が並んだ波面を有していてもよい。すなわち、図８に表した切断面（溝３７１Ａ、３８１Ａが延びた方向に対して交差する切断面）において、面取り部３７２、３８２は、直線状や曲線状を呈しており、複数の曲線が並んだ波線を呈していてもよい。係止部４１Ａが側面３７（上端面）の溝３７１Ａに係止された形態は、係止部４１Ａが側面３８（下端面）の溝３８１Ａに係止された形態と同様である。また、側面３７の溝３７１Ａに係止された固定具４Ａによる鏡３Ａの固定構造は、側面３８の溝３８１Ａに係止された固定具４Ａによる鏡３Ａの固定構造と同様である。そこで、本実施形態にかかる鏡の固定構造２Ａについての以下の説明では、側面３７の溝３７１Ａに係止された固定具４Ａによる鏡３Ａの固定構造を主として例に挙げる。
【００４９】
図１０に表したように、例えば、面取り部３７２の面取り角Ａ３３（表面３６と面取り部３７２との間の角度）は、４５度である。ただし、面取り角Ａ３３は、４５度には限定されない。表面３６に沿った方向において、面取り部３７２と表面３６とが交差する交差点３７４と、側面３７と、の間の距離（面取り深さ）Ｌ９は、溝３７１Ａの深さＬ８よりも長い（深い）。具体的には、溝３７１Ａの深さＬ８は、第２溝部３７７の深さに相当する。Ｌ９＞Ｌ８の例においては、鏡３の表面３６における傾斜角度（面取り角）Ａ３３を４５度以上として、面取り部３７２と側面３７とが交差する交差点３７８から、第２溝部３７７の手前側（鏡３の表面３６の側）の内壁面と側面３７とが交差する交差点３７９までの距離（厚さ）をＬ１２としたときに、Ｌ１２＞Ｌ８となるようにすると、溝３７１Ａおよび係止部４１Ａが鏡３Ａの表面３６の側から見えにくくなるので、より好ましい。
【００５０】
また、図１０に表したように、鏡３Ａは、裏面３５と側面３７とが交差する角部に設けられた面取り部３７３を有していてもよい。面取り部３７３は、平面や曲面を有しており、複数の曲面が並んだ波面を有していてもよい。すなわち、図１０に表した切断面（溝３７１Ａ、３８１Ａが延びた方向に対して交差する切断面）において、面取り部３７３は、直線状や曲線状を呈しており、複数の曲線が並んだ波線を呈していてもよい。例えば、面取り部３７３の面取り角Ａ３４（裏面３５と面取り部３７３との間の角度）は、４５度である。ただし、面取り角Ａ３４は、４５度には限定されない。
【００５１】
本実施形態に係る鏡の固定構造２Ａによれば、表面３６と側面３７とが交差する角部に面取り部３７２が設けられている。そのため、図１０に表した矢印Ａ１６のように光が面取り部３７２において屈折したり、図１０に表した矢印Ａ１７のように光が面取り部３７２において反射したりする。そのため、鏡３Ａの一方の側面３９１から他方の側面３９２までにわたって固定具４Ａの係止部４１Ａが設けられていなくとも、溝３７１Ａおよび係止部４１Ａは、鏡３Ａの表面３６の側から見えにくい。また、鏡３Ａの表面３６においてすっきりとした外観が得られるため、鏡３Ａのデザインの自由度が高まる。例えば、鏡３Ａの表面３６に図柄などが付与される場合においても、図柄が制限を受けることを抑えることができる。そのため、鏡３Ａの意匠性を向上させることができる。また、固定具４Ａの係止部４１Ａが鏡３Ａの表面３６には掛からない状態で鏡３Ａの溝３７１Ａに係止されているため、例えば水垢などの汚れが鏡３Ａの表面３６に溜まることを抑えることができるとともに、清掃者は鏡３Ａの表面３６を拭きやすくなる。そのため、鏡３Ａの清掃性を向上させることができる。これにより、本実施形態に係る鏡の固定構造２Ａは、鏡３Ａの付加価値を向上させることができる。また、第１実施形態に係る鏡の固定構造２に関して前述した効果と同様の効果が得られる。
【００５２】
以上、本発明の実施形態について説明した。しかし、本発明は、上記実施形態に限定されず、特許請求の範囲を逸脱しない範囲で種々の変更を行うことができる。例えば、固定具４は、線材ではなく、板材であってもよい。その際、固定具は、板状を曲げ加工してなり、その一端に係止部を備え、その他端に接続部を備えた構成を有していてもよい。また、上記実施形態の構成は、その一部を省略したり、上記とは異なるように任意に組み合わせたりすることができる。
【符号の説明】
【００５３】
２、２Ａ・・・鏡の固定構造、  ３、３Ａ・・・鏡、  ４、４Ａ・・・固定具、  ５・・・締結部材、  ９・・・被固定部材、  ３１・・・ガラス、  ３２・・・銀層、  ３３・・・銅層、  ３４・・・バックコート層、  ３５・・・裏面、  ３６・・・表面、  ３７、３８・・・側面、  ４１、４１Ａ・・・係止部、  ４２・・・端部、  ４３・・・端部、  ４４・・・長尺部、  ４５・・・係止片、  ９１・・・被固定面、  ３１１・・・反射面、  ３７１、３７１Ａ・・・溝、  ３７２、３７３・・・面取り部、  ３７４、３７５・・・交差点、  ３７６・・・第１溝部、  ３７７・・・第２溝部、  ３７８、３７９・・・交差点、  ３８１、３８１Ａ・・・溝、  ３８２・・・面取り部、  ３８６・・・第１溝部、  ３８７・・・第２溝部、  ３９１、３９２・・・側面、  Ａ３１、Ａ３２、Ａ３３、Ａ３４・・・面取り角、  Ｌ１、Ｌ２、Ｌ３、Ｌ４・・・厚さ、  Ｌ５・・・深さ、  Ｌ６、Ｌ７・・・距離（面取り深さ）、  Ｌ８・・・深さ、  Ｌ９、Ｌ１０・・・距離（面取り深さ）、  Ｌ１１、Ｌ１２・・・距離（厚さ）
【図１】
2019122500.tif 000003
【図２】
2019122500.tif 000004
【図３】
2019122500.tif 000005
【図４】
2019122500.tif 000006
【図５】
2019122500.tif 000007
【図６】
2019122500.tif 000008
【図７】
2019122500.tif 000009
【図８】
2019122500.tif 000010
【図９】
2019122500.tif 000011
【図１０】
2019122500.tif 000012